(57)【要約】【課題】被写体を照明する際に投影部の光源と閃光装置とを使い分けることで、状況に応じた照明を行うことができるようにする。【解決手段】スルー画表示制御や動画撮影のように撮像を連続して行うときは、投影部の光源を用いて被写体を連続して照明する。一方、１駒撮影時には、専用の閃光装置を閃光発光させて照明を行う。いずれの照明方法を用いるかを操作者が事前に設定できるようにしてもよい。【選択図】図５
2009200886.tif 000002
【特許請求の範囲】
【請求項１】
撮像モード時に被写体を撮像して画像データを生成する撮像部と、
投影モード時に、光源からの光を用いて投影する画像の画像データに基づく像を形成し、該像を外部に投影するとともに、撮像モード時に、前記光源の光を被写体照明光として照射する投影部と、
撮像モード時に被写体を照明する、前記光源とは別の閃光装置と、
撮像に際して被写体を照明する必要がある場合に、前記投影部の前記光源と前記閃光装置を撮影条件に基づいて制御する制御手段とを具備することを特徴とする撮像／投影装置。
【請求項２】
前記閃光装置は、前記光源と比べて大光量であることを特徴とする請求項１に記載の撮像／投影装置。
【請求項３】
前記閃光装置の照射角は、前記投影部の照射角よりも大きいことを特徴とする請求項１または２に記載の撮像／投影装置。
【請求項４】
前記制御手段は、前記撮像部による撮像を連続して行う際に被写体を照明する必要が生じたときは、前記投影部の前記光源による連続照射を行う一方、１駒のみの撮像を行う際に被写体を照明する必要が生じたときは、前記閃光装置による閃光発光を行うことを特徴とする請求項１〜３のいずれか１項に記載の撮像／投影装置。
【請求項５】
前記制御手段は、動画撮影を行う際に被写体を照明する必要が生じたときは、前記投影部の前記光源による連続照射を行うことを特徴とする請求項４に記載の撮像／投影装置。
【請求項６】
前記制御手段は、前記画像データに基づく画像を表示装置に逐次更新表示するスルー画表示を行う際に被写体を照明する必要が生じたときは、前記投影部の前記光源による連続照射を行うことを特徴とする請求項４に記載の撮像／投影装置。
【請求項７】
前記投影部は、屈曲光学系を用いることで略Ｌ字状の光路を形成して成り、そのＬ字の窪みに相当する部分に前記撮像部が設けられていることを特徴とする請求項１〜６いずれか１項に記載の撮像／投影装置。
【発明の詳細な説明】
【技術分野】
【０００１】
本発明は、被写体を撮像して画像データを生成する機能と、画像データを光像として外部に投影する機能とを併せ持つ撮像／投影装置に関する。
【背景技術】
【０００２】
撮像機能と投影機能とを併せ持つ電子機器として、例えば特許文献１に記載されたものがある。この電子機器では、撮像を行う際に、投影部の光源を被写体照明用の光源として用いることができる。
【０００３】
【特許文献１】特開２００６−６７４６９号公報
【発明の開示】
【発明が解決しようとする課題】
【０００４】
しかしながら、投影部は、あくまで投影に適した光を照射する設計となっているため、その照射光は状況によっては被写体照明光として適さないことがある。
【課題を解決するための手段】
【０００５】
本発明は、撮像モード時に被写体を撮像して画像データを生成する撮像部と、投影モード時に、光源からの光を用いて投影すべき画像データに基づく光像を形成し、光像を外部に投影するとともに、撮像モード時に、光源の光を被写体照明光として照射する投影部と、撮像モード時に被写体を照明する、上記光源とは別の閃光装置と、撮像に際して被写体を照明する必要がある場合に、投影部の光源と閃光装置を撮影条件に基づいて制御する制御手段とを具備することを特徴とする。
閃光装置は、前記光源と比べて大光量であってもよい。
閃光装置の照射角は、投影部の照射角よりも大きくてもよい。
撮像部による撮像を連続して行う際に被写体を照明する必要が生じたときは、投影部の光源による連続照射を行う一方、１駒のみの撮像を行う際に被写体を照明する必要が生じたときは、閃光装置による閃光発光を行うようにしてもよい。
動画撮影を行う際に被写体を照明する必要が生じたときは、投影部の光源による連続照射を行うようにしてもよい。
画像データに基づく画像を表示装置に逐次更新表示するスルー画表示を行う際に被写体を照明する必要が生じたときは、投影部の光源による連続照射を行うようにしてもよい。
投影部は、屈曲光学系を用いることで略Ｌ字状の光路を形成して成り、そのＬ字の窪みに相当する部分に撮像部を配置した構成でもよい。
【発明の効果】
【０００６】
本発明によれば、被写体を照明する際に投影部の光源と閃光装置とを使い分けることで、状況に応じた照明を行うことが可能となる。
【発明を実施するための最良の形態】
【０００７】
図１〜図５により本発明の一実施の形態を説明する。
図１，図２は本実施形態における撮像／投影モジュールを示し、図１は側面断面図、図２はそのII−II線から見た正面図である。このモジュールＭは、撮像系と投影系とを単一のケース１１に収容して成り、これをデジタルカメラや携帯電話機に組み込むことで、カメラ機能とプロジェクタ機能の双方が実現可能となる。その他の電子機器に組み込んでもよい。
【０００８】
ケース１１は直方体形状をなし、その内部空間は、仕切部１２により略Ｌ字状の投影部収容空間ＳＰ１と、そのＬ字の凹みに相当する位置にあたる撮像部収容空間ＳＰ２とに区画される。投影部収容空間ＳＰ１に収容される投影部２０は、Ｌ字の一端に相当する箇所に設けられるＬＥＤ等の光源２１と、光源光を集光する集光レンズ２２と、Ｌ字の角部に相当する箇所に設けられる偏光ビームスプリッタ（以下、ＰＢＳ２３）および反射型液晶表示素子２４と、Ｌ字の他端に相当する箇所に設けられる投影レンズ２５とを有する。
【０００９】
一方、撮像部収容空間ＳＰ２に収容される撮像部３０は、撮像光学系３１およびＣＣＤ等の撮像素子３２を有する。また、ケース１１の図示下面には、光源２１から発した熱を逃がすための金属製の放熱ブロック４０が固着されている。本実施形態のモジュールＭは、図示のごとくこの放熱ブロック４０を含めて全体が略直方体をなす。
【００１０】
図３は上記モジュールＭを組み込んだ携帯電話機の一例を示している。金属製の外カバー１には、撮像／投影用の窓Ｗ１が形成され、その内側にモジュールＭが配置される。図１にも示すように、窓Ｗ１には透明の保護カバー３が嵌め込まれている。また、上記放熱ブロック４０は、外カバー１の裏面に当接される。Ｗ２は閃光発光窓である。本実施形態では、後述するように投影部２０の光源を被写体照明用の光源として用いることができるが、それとは別に閃光装置を有している。
【００１１】
図４はモジュールＭが組み込まれる機器（例えば、上記携帯電話機）の制御系を示し、本発明に係る構成のみ図示している。
電子機器でカメラモード（撮像モード）を設定すると、ＣＰＵ４１は撮像を繰り返し、スルー画表示を行う。すなわち、カメラ駆動装置４２を制御して撮像光学系３１を透過した被写体光束を撮像素子３２にて撮像し、その出力に基づいて画像データを生成し、画像データに基づく画像を表示装置４５に表示する動作を繰り返し行う。表示装置４５は、例えばカラー液晶モニタにて構成され、操作者はその表示画像を見ながら構図合わせを行う。操作部４６によってレリーズ操作がなされると、ＣＰＵ４１は撮像を行い、生成された画像データを記録媒体４３に記録する。本実施形態の電子機器では、静止画撮影だけでなく動画撮影も可能である。
【００１２】
一方、電子機器でプロジェクタモード（投影モード）を設定すると、ＣＰＵ４１は投影駆動装置４４を制御して画像の投影を行う。すなわち、操作者が記録媒体４３中の画像データから投影したい画像データを選択すると、その画像を液晶表示素子２４に表示するとともに、光源２１を点灯する。光源光は集光レンズ２２およびＰＢＳ２３を介して液晶表示素子２４の表示面に入射し、その反射光が投影すべき光像となる。光像は、ＰＢＳ２３で９０度屈曲され、投影レンズ２５および窓Ｗ１を介して外部に投影される。
【００１３】
光源２１から発した熱は、ケース１１の下部に固着された放熱ブロック２６から電子機器の金属製外カバー１に伝わり、外部に放出される。これにより熱による光源２１の破損や、画像への悪影響が防止される。
【００１４】
このように本実施形態では、Ｌ字状の投影部の凹みに相当する部分に直方体の撮像部３０を配置することで、モジュール全体を直方体形状としたので、モジュール全体の小型化および形状の単純化が図れ、電子機器への配置の自由度を高められるとともに、組立性が向上する。
【００１５】
ここで、撮像モード時には、投影部２０の光源２１を被写体照明の光源として用いることができる。すなわち、撮像にあたって被写体を照明する必要が生じた場合は、液晶表示素子２４を白色表示状態にして光源２１を点灯させることで、投影部２０から白色光が照射され被写体を照明する。この場合、フラッシュ装置のような閃光発光も可能であるし、撮影用ライトのような連続的な照射も可能である。また、液晶表示素子２４の表示色を変えることで、照明光の色を自在に変えることができる。
【００１６】
このように本実施形態の電子機器は、投影部２０の光源２１を照明光源として利用できるが、それとは別に閃光装置５０をも有している。閃光装置５０は、メインコンデンサに蓄えた電荷でキセノン管を発光させる一般的なものであり、上記投影部２０の光源２１と比べて大光量で照射距離が長く、また照射角も大きい。一方で、閃光装置５０は、連続照射は行えない。そこで本実施形態では、以下に示すように状況に応じて光源２１と閃光装置５０とを使い分けている。
【００１７】
図５は、ＣＰＵ４１によるカメラモード時の制御内容を示すフローチャートである。
カメラモードが設定されると、ステップＳ１で上述したスルー画表示を開始し、ステップＳ２で照明が必要か否かを判定する。例えば操作者が照明を強制的に行う設定にしている場合や、測光によって得られた被写体輝度情報が所定値を下回る場合は照明が必要と判断し、ステップＳ３に進む。ステップＳ３では、投影部２０の液晶表示素子２４を例えば白色表示とし、光源２１を点灯させる。すなわち、スルー画表示時には被写体を連続して照明する必要があるから、投影部２０の光源２１を用いて連続照明を行い、暗くても構図合わせを行い易くする。
【００１８】
ステップＳ４では、レリーズ操作がなされたか否かを判定し、肯定されるとステップＳ５で静止画撮影か動画撮影かを判定する。静止画の場合はステップＳ６に進み、照明が必要な場合は、ステップＳ７で閃光装置５０を発光させる。すなわち、静止画撮影では連続照明は不要なので、閃光装置５０で照明を行う。この場合、スルー画撮影時に点灯させていた投影部２０の光源２１は消灯してもよいし、点灯させたままでもよい。いずれの場合も大光量かつ大照射角の閃光装置５０で照明することで、被写体距離が長いときや撮像画角が広い場合でも適切な照明が行え、光量不足を抑制できる。ステップＳ８では撮像を行い、生成された画像データを記録媒体４３に記録する。
【００１９】
一方、動画の場合は連続照明が不可欠であり、ステップＳ９で照明が必要と判断された場合は、ステップＳ１０で光源２１を点灯させ、連続照明を行う。そして、ステップＳ１２でレリーズ操作の解除が判定されるまで、ステップＳ１１での撮像・記録を繰り返す。
【００２０】
なお、動画撮影機能を持たない機器の場合は、上記ステップＳ５，ステップＳ９〜Ｓ１２を削除したフローとなる。また、スルー画表示機能を持たない機器の場合は、ステップＳ１〜Ｓ３を削除したフローとなる。
【００２１】
静止画の連写が可能な機器では、連写時には投影部２０の光源２１で被写体を照明するようにしてもよい。また、光源１で照明するか閃光装置５０で照明するかを使用者が選択設定できるようにしてもよい。さらに、投影部２０および閃光装置５０の照射角を可変としてもよい。
【００２２】
閃光装置５０は、撮像部３０および投影部２０を含むモジュールＭとは別モジュールとしてもよいし、モジュールＭに組み入れてもよい。逆に上記３つを別モジュールとしてもよい。
【図面の簡単な説明】
【００２３】
【図１】本発明の一実施形態における撮像／投影モジュールの断面図。
【図２】図１のII−II線から見た図。
【図３】上記撮像／投影モジュールを内蔵した携帯電話機の一例を示す斜視図。
【図４】撮像／投影モジュールを内蔵した機器の制御系を示すブロック図。
【図５】上記機器の撮像時の処理手順を示すフローチャート。
【符号の説明】
【００２４】
１  外カバー
２０  投影部
２１  光源
２２  集光レンズ
２３  偏光ビームスプリッタ
２４  反射型液晶表示素子
２５  投影レンズ
３０  撮像部
３１  撮像レンズ
３２  撮像素子
４１  ＣＰＵ
４２  カメラ駆動装置
４３  投影駆動装置
４５  表示装置
５０  閃光装置
【図１】
2009200886.tif 000003
【図２】
2009200886.tif 000004
【図３】
2009200886.tif 000005
【図４】
2009200886.tif 000006
【図５】
2009200886.tif 000007